(57)【特許請求の範囲】
【請求項１】
セルラーネットワークに連結されたＵＥ（ｕｓｅｒ  ｅｑｕｉｐｍｅｎｔ）によってＷＬＡＮ（ｗｉｒｅｌｅｓｓ  ｌｏｃａｌ  ａｒｅａ  ｎｅｔｗｏｒｋ）のＡＰ（ａｃｃｅｓｓ  ｐｏｉｎｔ）を探索する方法であって、前記方法は、
前記セルラーネットワークと前記ＷＬＡＮとの間のインターワーキングを管理する前記セルラーネットワークのインターワーキングエンティティ（ＩＷＥ）から前記ＵＥの周辺に位置したＡＰに対する状態情報を含む第１の情報を受信することであって、前記状態情報は、遊休モードまたは活性化モードを示す、ことと、
前記ＷＬＡＮの前記ＡＰのうちの前記ＵＥが接続することを望む特定ＡＰが遊休モードで動作する場合、前記特定ＡＰのリスニング区間で、前記特定ＡＰにアウェイク要請メッセージを伝送することと、
前記アウェイク要請メッセージに対する応答が前記特定ＡＰから受信されるかに基づいて、前記ＡＰに対する探索の結果に関する第２の情報を前記ＩＷＥに伝送することであって、前記第２の情報は、ＳＮＲ（ｓｉｇｎａｌ−ｔｏ−ｎｏｉｓｅ  ｒａｔｉｏ）情報および干渉情報を含む、ことと
を含み、
前記特定ＡＰが前記遊休モードで動作することを前記状態情報が示すときに、前記第１の情報は、さらに、ＤＲＸ（ｄｉｓｃｏｎｔｉｎｕｏｕｓ  ｒｅｃｅｐｔｉｏｎ）期間およびＤＲＸ開始オフセットを含み、
前記ＵＥは、前記ＤＲＸ期間および前記ＤＲＸ開始オフセットを用いて、前記アウェイク要請メッセージが伝送される前記リスニング区間の位置を計算する、方法。
【請求項２】
前記セルラーネットワークの前記ＩＷＥは、前記セルラーネットワークのｅｖｏｌｖｅｄ  Ｎｏｄｅ  Ｂ（ｅＮｏｄｅ  ＢまたはｅＮＢ）またはＭＭＥ（ｍｏｂｉｌｉｔｙ  ｍａｎａｇｅｍｅｎｔ  ｅｎｔｉｔｙ）である、請求項１に記載の方法。
【請求項３】
前記ＩＷＥおよび前記ＡＰは、バックホールインターフェースまたはエアインターフェースを用いて連結され、前記ＡＰは、前記ＩＷＥに対してＵＥとして動作する、請求項１に記載の方法。
【請求項４】
前記アウェイク要請メッセージに対する前記応答が前記特定ＡＰから受信されるかによって、前記遊休モードから目覚めた前記特定ＡＰに接続することをさらに含む、請求項１に記載の方法。
【請求項５】
前記ＩＷＥから、前記ＵＥによって探索された前記ＡＰのうちの一つに対する接続命令を受信することをさらに含む、請求項１に記載の方法。
【請求項６】
前記アウェイク要請メッセージは、ページングメッセージタイプであるか、またはプローブ要請メッセージタイプであり、状態切り替えのためのパラメーターおよび前記ＵＥに関する情報のうちの少なくとも一つを含む、請求項１に記載の方法。
【請求項７】
セルラーネットワークに連結されたＵＥ（ｕｓｅｒ  ｅｑｕｉｐｍｅｎｔ）であって、前記ＵＥは、
前記セルラーネットワークとＷＬＡＮ（ｗｉｒｅｌｅｓｓ  ｌｏｃａｌ  ａｒｅａ  ｎｅｔｗｏｒｋ）との間のインターワーキングを管理する前記セルラーネットワークのインターワーキングエンティティ（ＩＷＥ）から前記ＵＥの周辺に位置した前記ＷＬＡＮのＡＰ（ａｃｃｅｓｓ  ｐｏｉｎｔ）に対する状態情報を含む第１の情報を受信する受信機であって、前記状態情報は、遊休モードまたは活性化モードを示す、受信機と、
前記ＷＬＡＮの前記ＡＰのうちの前記ＵＥが接続することを望む特定ＡＰが遊休モードで動作する場合、前記特定ＡＰにアウェイク要請メッセージを伝送することと、前記アウェイク要請メッセージに対する応答が前記特定ＡＰから受信されるかに基づいて、前記ＡＰに対する探索の結果に関する第２の情報を前記ＩＷＥに伝送することとを実行する送信機であって、前記第２の情報は、ＳＮＲ（ｓｉｇｎａｌ−ｔｏ−ｎｏｉｓｅ  ｒａｔｉｏ）情報および干渉情報を含む、送信機と、
前記アウェイク要請メッセージを前記特定ＡＰのリスニング区間で伝送するように前記送信機を制御するプロセッサと
を含み、
前記特定ＡＰが前記遊休モードで動作することを前記状態情報が示すときに、前記第１の情報は、さらに、ＤＲＸ（ｄｉｓｃｏｎｔｉｎｕｏｕｓ  ｒｅｃｅｐｔｉｏｎ）期間およびＤＲＸ開始オフセットを含み、
前記プロセッサは、前記ＤＲＸ期間および前記ＤＲＸ開始オフセットを用いて、前記アウェイク要請メッセージが伝送される前記リスニング区間の位置を計算する、ＵＥ。
【発明の詳細な説明】
【技術分野】
【０００１】
本発明は、無線通信に関し、より詳細には、少なくとも二つ以上のＲＡＴ（Ｒａｄｉｏ  Ａｃｃｅｓｓ  Ｔｅｃｈｎｏｌｏｇｙ）が融合された環境で特定ＲＡＴのノードを探索し、状態を切り替える方法及びこのための装置に関する。
【背景技術】
【０００２】
異種の通信網が融合されて運用されるマルチ（Ｍｕｌｔｉ）―ＲＡＴが研究されている。例えば、マルチ―ＲＡＴ端末は、セルラー網と無線ＬＡＮを全てサポートしている。このようなマルチ―ＲＡＴ端末は、多数のＲＡＴのうちいずれか一つに選択的に接続するだけであって、同時に接続することはできなかった。すなわち、現在、端末にマルチ―ＲＡＴ能力（ｃａｐａｂｉｌｉｔｙ）があるとしても、端末は、互いに異なるＲＡＴを介して同時にデータを送受信することはできなかった。
【０００３】
また、従来のマルチ―ＲＡＴ技術によると、互いに異なるＲＡＴは相互独立的に運用されるので、全体のシステムが有機的に運用されるのには限界があった。例えば、セルラー網に接続中の端末が無線ＬＡＮへのスイッチングを試みる場合、端末は、セルラー網の仲裁や無線ＬＡＮに対する事前情報がない状態で、無線ＬＡＮに対する探索と接続に至る一連の過程を独自に行わなければならないという負担があった。
【発明の概要】
【発明が解決しようとする課題】
【０００４】
本発明が達成しようとする技術的課題は、マルチ―ＲＡＴ環境で第１のＲＡＴに接続中の端末が遊休モードの第２のＲＡＴの基地局を探索し、第２のＲＡＴの基地局を活性化モードに切り替える方法を提供することにある。本発明の他の技術的課題によって、前記の方法を行う端末が提供される。
【０００５】
本発明が達成しようとする他の技術的課題は、マルチ―ＲＡＴ環境で第１のＲＡＴから遊休モードでの動作設定を受けた第２のＲＡＴの基地局が、端末の要請に応じて活性化モードに状態を切り替える方法を提供することにある。本発明の他の技術的課題によって、前記の方法を行うノードが提供される。
【０００６】
本発明が達成しようとする技術的課題は、上述した技術的課題に限定されるものではなく、また他の技術的課題が本発明の開示から類推可能である。
【課題を解決するための手段】
【０００７】
本発明の一側面に係るマルチ―ＲＡＴ環境で、第１のＲＡＴに接続中の端末が第２のＲＡＴの基地局を探索する方法は、前記第１のＲＡＴと前記第２のＲＡＴとの間のインターワーキングを管理する前記第１のＲＡＴのインターワーキングエンティティから前記端末の周辺に位置した少なくとも一つの前記第２のＲＡＴの基地局に対する情報を受信すること；及び前記端末の周辺に位置した前記第２のＲＡＴの基地局のうち前記端末が接続することを望む特定基地局の状態が遊休モード（ｉｄｌｅ  ｍｏｄｅ）である場合、前記第２のＲＡＴの基地局に対する情報に含まれた前記特定基地局のリスニング区間で、前記特定基地局にアウェイク（ａｗａｋｅ）要請メッセージを伝送することを含む。
【０００８】
本発明の他の一側面によって、マルチ―ＲＡＴ間のインターワーキング（ｉｎｔｅｒｗｏｒｋｉｎｇ）をサポートする環境で、第２のＲＡＴの基地局が状態を切り替える方法は、所定のトリガー条件が満足された場合に活性化モード（ａｃｔｉｖｅ  ｍｏｄｅ）から遊休モードに状態を切り替えること；前記マルチ―ＲＡＴ間のインターワーキングをサポートする第１のＲＡＴのエンティティから、前記遊休モードでの前記第２のＲＡＴの基地局の動作を定義する情報を受信すること；前記受信した情報に含まれたリスニング区間の情報に基づいて、前記遊休モードで非連続的にチャンネルをモニタリングすること；及び前記モニタリングの結果、前記リスニング区間で、前記第１のＲＡＴに接続した端末から前記第２のＲＡＴの基地局にアウェイク要請メッセージが受信されると、前記第２のＲＡＴの基地局の状態を前記活性化モードに切り替えること；を含む。
本発明のまた他の一側面によって、マルチ―ＲＡＴ環境で第１のＲＡＴに接続中の端末は、前記第１のＲＡＴのインターワーキングエンティティから前記端末の周辺に位置した少なくとも一つの第２のＲＡＴの基地局に対する情報を受信する受信機；前記端末の周辺に位置した前記第２のＲＡＴの基地局のうち前記端末が接続することを望む特定基地局の状態が遊休モードである場合、前記特定基地局にアウェイク要請メッセージを伝送する送信機；及び前記メッセージが前記第２のＲＡＴの基地局に対する情報に含まれた前記特定基地局のリスニング区間で伝送されるように前記送信機を制御するプロセッサ；を含む。
【０００９】
本発明のまた他の一側面によって、マルチ―ＲＡＴ間のインターワーキングをサポートする環境で、第２のＲＡＴの基地局は、所定のトリガー条件が満足された場合に活性化モードから遊休モードに状態を切り替えるプロセッサ；及び前記マルチ―ＲＡＴ間のインターワーキングをサポートする第１のＲＡＴのエンティティから、前記遊休モードでの前記第２のＲＡＴの基地局の動作を定義する情報を受信する受信機；を含み、前記プロセッサは、前記受信された情報に含まれたリスニング区間の情報に基づいて前記遊休モードで非連続的にチャンネルをモニタリングするように前記受信機を制御し、前記チャンネルのモニタリングの結果、前記リスニング区間で前記第１のＲＡＴに接続した端末から前記第２のＲＡＴの基地局にアウェイク要請メッセージが受信されると、前記第２のＲＡＴの基地局の状態を前記活性化モードに切り替える。
本明細書は、例えば、以下の項目も提供する。
（項目１）
マルチ―ＲＡＴ（Ｒａｄｉｏ  Ａｃｃｅｓｓ  Ｔｅｃｈｎｏｌｏｇｙ）環境で、第１のＲＡＴに連結された端末が第２のＲＡＴの基地局を探索する方法において、
前記第１のＲＡＴと前記第２のＲＡＴとの間のインターワーキングを管理する前記第１のＲＡＴのインターワーキングエンティティから前記端末の周辺に位置した少なくとも一つの前記第２のＲＡＴの基地局に対する情報を受信すること；及び
前記端末の周辺に位置した前記第２のＲＡＴの基地局のうち前記端末が接続することを望む特定基地局の状態が遊休モードである場合、前記第２のＲＡＴの基地局に対する情報に含まれた前記特定基地局のリスニング区間で、前記特定基地局にアウェイク要請メッセージを伝送すること；を含む、方法。
（項目２）
前記第２のＲＡＴの基地局に対する情報は、
前記第２のＲＡＴの基地局の状態情報、前記特定基地局の状態が遊休モードである場合、前記特定基地局に設定されたＤＲＸ（ｄｉｓｃｏｎｔｉｎｕｏｕｓ  ｒｅｃｅｐｔｉｏｎ）期間及び前記ＤＲＸの開始オフセット情報のうち少なくとも一つをさらに含む、項目１に記載の方法。
（項目３）
前記第２のＲＡＴの基地局に対する情報に基づいて、前記特定基地局の状態が前記遊休モードであるか、それとも前記活性化モードであるかを判断することをさらに含む、項目１に記載の方法。
（項目４）
前記特定基地局から、前記特定基地局の状態に対する情報を含むビーコン信号を受信すること；及び
前記ビーコン信号に基づいて前記特定基地局の状態が遊休モードであるか否かを判断すること；をさらに含む、項目１に記載の方法。
（項目５）
前記第１のＲＡＴはセルラーネットワークで、前記第２のＲＡＴはＷＬＡＮ（Ｗｉｒｅｌｅｓｓ  Ｌｏｃａｌ  Ａｒｅａ  Ｎｅｔｗｏｒｋ）で、前記第１のＲＡＴのインターワーキングエンティティは、前記セルラーネットワークのｅＮｏｄｅ  ＢまたはＭＭＥ（Ｍｏｂｉｌｉｔｙ  Ｍａｎａｇｅｍｅｎｔ  Ｅｎｔｉｔｙ）で、前記第２のＲＡＴの基地局は前記ＷＬＡＮのＡＰ（Ａｃｃｅｓｓ  Ｐｏｉｎｔ）である、項目１に記載の方法。
（項目６）
前記第１のＲＡＴと前記第２のＲＡＴは、互いに異種のネットワークであって、前記第１のＲＡＴのインターワーキングエンティティと前記第２のＲＡＴの基地局は、バックホールまたは無線で連結され、前記第２のＲＡＴの基地局は、前記第１のＲＡＴのインターワーキングエンティティに対してまた一つの端末として動作する、項目１に記載の方法。
（項目７）
前記アウェイク要請メッセージに対する前記特定基地局の応答有無によって、前記遊休モードから目覚めた前記特定基地局に接続することをさらに含む、項目１に記載の方法。
（項目８）
前記アウェイク要請メッセージに対する前記特定基地局の応答に基づいて、前記端末の周辺に位置した前記第２のＲＡＴの基地局を探索した結果を前記第１のＲＡＴのインターワーキングエンティティに伝送すること；及び
前記第１のＲＡＴのインターワーキングエンティティから、前記端末によって探索された前記第２のＲＡＴの基地局のうちいずれか一つに対する接続命令を受信すること；をさらに含む、項目１に記載の方法。
（項目９）
前記アウェイク要請メッセージは、ページングメッセージタイプであるか、またはプローブ要請メッセージタイプであって、前記特定基地局の識別子、状態切り替えのための所定のパラメーター及び前記端末の情報のうち少なくとも一つを含む、項目１に記載の方法。
（項目１０）
マルチ―ＲＡＴ（Ｒａｄｉｏ  Ａｃｃｅｓｓ  Ｔｅｃｈｎｏｌｏｇｙ）間のインターワーキングをサポートする環境で、第２のＲＡＴの基地局が状態を切り替える方法において、
所定のトリガー条件が満足された場合、活性化モードから遊休モードに状態を切り替えること；
前記マルチ―ＲＡＴ間のインターワーキングをサポートする第１のＲＡＴのエンティティから、前記遊休モードでの前記第２のＲＡＴの基地局の動作を定義する情報を受信すること；
前記受信した情報に含まれたリスニング区間の情報に基づいて、前記遊休モードで非連続的にチャンネルをモニタリングすること；及び
前記モニタリングの結果、前記リスニング区間で、前記第１のＲＡＴに接続した端末から前記第２のＲＡＴの基地局にアウェイク要請メッセージが受信されると、前記第２のＲＡＴの基地局の状態を前記活性化モードに切り替えること；を含む、方法。
（項目１１）
前記第２のＲＡＴの基地局の動作を定義する情報は、
前記遊休モードでの前記第２のＲＡＴの基地局のＤＲＸ期間及び前記ＤＲＸの開始オフセットのうち少なくとも一つをさらに含む、項目１０に記載の方法。
（項目１２）
前記第２のＲＡＴの基地局の状態が前記遊休モードから前記活性化モードに切り替えられたことを前記第１のＲＡＴのエンティティに報告すること；及び
前記活性化モードで前記端末との接続手順を行うこと；をさらに含む、項目１０に記載の方法。
（項目１３）
前記リスニング区間に先行してビーコン信号を伝送すること；及び
前記ビーコン信号に対する前記端末の応答として、前記第２のＲＡＴの基地局がアウェイク要請メッセージを受信すること；をさらに含む、項目１０に記載の方法。
（項目１４）
前記遊休モードと前記活性化モードでの前記ビーコン信号の各長さ及び各伝送周期はそれぞれ互いに異なり、
前記遊休モードでのビーコン信号は、前記第２のＲＡＴの基地局の識別情報、前記第２のＲＡＴの基地局の状態情報及び前記リスニング区間に対する情報のうち少なくとも一つを含む、項目１３に記載の方法。
（項目１５）
マルチ―ＲＡＴ（Ｒａｄｉｏ  Ａｃｃｅｓｓ  Ｔｅｃｈｎｏｌｏｇｙ）環境で第１のＲＡＴに接続中の端末において、
前記第１のＲＡＴと前記第２のＲＡＴとの間のインターワーキングを管理する前記第１のＲＡＴのインターワーキングエンティティから前記端末の周辺に位置した少なくとも一つの第２のＲＡＴの基地局に対する情報を受信する受信機；
前記端末の周辺に位置した前記第２のＲＡＴの基地局のうち前記端末が接続することを望む特定基地局の状態が遊休モードである場合、前記特定基地局にアウェイク要請メッセージを伝送する送信機；及び
前記メッセージが前記第２のＲＡＴの基地局に対する情報に含まれた前記特定基地局のリスニング区間で伝送されるように前記送信機を制御するプロセッサ；を含む、端末。
（項目１６）
マルチ―ＲＡＴ（Ｒａｄｉｏ  Ａｃｃｅｓｓ  Ｔｅｃｈｎｏｌｏｇｙ）間のインターワーキングをサポートする環境で、第２のＲＡＴの基地局において、
所定のトリガー条件が満足された場合、活性化モードから遊休モードに状態を切り替えるプロセッサ；及び
前記マルチ―ＲＡＴ間のインターワーキングをサポートする第１のＲＡＴのエンティティから、前記遊休モードでの前記第２のＲＡＴの基地局の動作を定義する情報を受信する受信機；を含み、
前記プロセッサは、前記受信された情報に含まれたリスニング区間の情報に基づいて前記遊休モードで非連続的にチャンネルをモニタリングするように前記受信機を制御し、前記チャンネルのモニタリングの結果、前記リスニング区間で前記第１のＲＡＴに接続した端末から前記第２のＲＡＴの基地局にアウェイク要請メッセージが受信されると、前記第２のＲＡＴの基地局の状態を前記活性化モードに切り替える、基地局。
【発明の効果】
【００１０】
本発明の一実施例によると、第２のＲＡＴの基地局に対する情報が、端末が接続中の第１のＲＡＴのエンティティによって管理されるので、端末は、第１のＲＡＴのエンティティから受信された第２のＲＡＴの基地局に対する情報を通じて、端末が独立的には探索しにくい遊休モード状態である第２のＲＡＴの基地局を探索した後、端末が接続しようとする第２のＲＡＴの基地局を活性化モードに切り替えることができる。また、端末が第２のＲＡＴの基地局のカバレッジに位置するか否かによって、第２のＲＡＴの基地局の遊休モードと活性化モードの運用及び切り替えを効率的に行うことができる。
【００１１】
本発明で得られる各効果は、上述した効果に限定されるものではなく、また他の効果が本発明の開示から類推可能である。
【図面の簡単な説明】
【００１２】
本発明に関する理解を促進するために、詳細な説明の一部として含まれる添付の図面は、本発明に対する実施例を提供し、詳細な説明と共に本発明の技術的思想を説明する。
【００１３】
添付の各図面において：
【００１４】
【図１Ａ】端末とセルラー網の連結手順を示した図である。
【図１Ｂ】端末とセルラー網の連結手順を示した図である。
【図１Ｃ】端末とセルラー網の連結手順を示した図である。
【図１Ｄ】端末とセルラー網の連結手順を示した図である。
【図１Ｅ】端末とセルラー網の連結手順を示した図である。
【００１５】
【図２】ＩＥＥＥ  ８０２．１１によるＷＬＡＮ連結手順を示した図である。
【００１６】
【図３Ａ】本発明の各実施例に係るマルチ―ＲＡＴ環境を示した図である。
【図３Ｂ】本発明の各実施例に係るマルチ―ＲＡＴ環境を示した図である。
【００１７】
【図４】本発明の一実施例に係る第２のＲＡＴのＡＰ（Ａｃｃｅｓｓ  Ｐｏｉｎｔ）の遊休モードを示した図である。
【００１８】
【図５】本発明の一実施例に係る第２のＲＡＴのＡＰ（Ａｃｃｅｓｓ  Ｐｏｉｎｔ）の状態を切り替える方法を示した図である。
【００１９】
【図６】本発明の他の一実施例に係る第２のＲＡＴのＡＰ（Ａｃｃｅｓｓ  Ｐｏｉｎｔ）の状態を切り替える方法を示した図である。
【００２０】
【図７】本発明の一実施例に係る端末と基地局を示した図である。
【発明を実施するための形態】
【００２１】
以下では、本発明に係る好ましい実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者は、本発明がこのような具体的な細部事項がなくても実施され得ることが分かる。
【００２２】
いくつかの場合、本発明の概念が曖昧になることを避けるために公知の構造及び装置は省略したり、各構造及び装置の核心機能を中心にしたブロック図の形式で図示することができる。また、本明細書全体にわたって同一の構成要素に対しては、同一の図面符号を使用して説明する。
【００２３】
以下の詳細な説明において、第１のＲＡＴは、セルラーシステムまたはセルラーネットワークであって、例えば、３ＧＰＰ  ＬＴＥ、ＬＴＥ―Ａシステムである場合を仮定して具体的に説明する。しかし、３ＧＰＰ  ＬＴＥ、ＬＴＥ―Ａの特有の事項を除いては、他の任意のセルラーシステムとして第１のＲＡＴを具現することもできる。第２のＲＡＴは、第１のＲＡＴとは異なる無線通信方式を使用する無線通信システムまたは無線通信ネットワークであって、第１のＲＡＴに比べて相対的に小さいカバレッジを有し、データ伝送のためのシステムであり得る。例えば、第２のＲＡＴは、ＷＬＡＮまたはＷｉＦｉなどの無線ＬＡＮシステムであり得るが、これに限定されることはない。
【００２４】
併せて、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）、ＳＴＡ（Ｓｔａｔｉｏｎ）などの移動または固定型のユーザー端機器を総称するものと仮定する。また、基地局は、Ｎｏｄｅ  Ｂ、ｅＮｏｄｅ  Ｂ、Ｂａｓｅ  Ｓｔａｔｉｏｎ、ＡＰ（Ａｃｃｅｓｓ  Ｐｏｉｎｔ）などの端末と通信する第１のＲＡＴまたは第２のＲＡＴで任意のノードを総称するものと仮定する。本明細書では、ＩＥＥＥ  ８０２．１６システムに基づいて説明するが、本発明の各内容は、各種他の通信システムにも適用可能である。以下の説明において、第２のＲＡＴの基地局は、ＡＰ（Ａｃｃｅｓｓ  Ｐｏｉｎｔ）などの端末と通信する第２のＲＡＴで任意のノードを総称するものと仮定する。
【００２５】
第１のＲＡＴにおいて、端末（Ｕｓｅｒ  Ｅｑｕｉｐｍｅｎｔ）は、基地局からダウンリンク（Ｄｏｗｎｌｉｎｋ）を介して情報を受信することができ、また、端末は、アップリンク（Ｕｐｌｉｎｋ）を介して情報を伝送することができる。端末が伝送または受信する情報としては、データ及び多様な制御情報があり、端末が伝送または受信する情報の種類と用途に応じて多様な物理チャンネルが存在する。
【００２６】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術（ｒａｄｉｏ  ｔｅｃｈｎｏｌｏｇｙ）として具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などの無線技術として具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２―２０、Ｅ―ＵＴＲＡ（Ｅｖｏｌｖｅｄ  ＵＴＲＡ）などの無線技術として具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ―ＵＴＲＡを使用するＥ―ＵＭＴＳ（Ｅｖｏｌｖｅｄ  ＵＭＴＳ）の一部であって、ダウンリンクでＯＦＤＭＡを採用し、アップリンクでＳＣ―ＦＤＭＡを採用する。ＬＴＥ―Ａ（Ａｄｖａｎｃｅｄ）は、３ＧＰＰ  ＬＴＥの進化されたバージョンである。
【００２７】
また、以下の説明で使用される特定用語は、本発明の理解を促進するために提供されたものであって、このような特定用語の使用は、本発明の技術的思想から逸脱しない範囲で他の形態に変更可能である。
【００２８】
図１Ａ〜図１Ｅは、端末とセルラー網の連結手順を示した図である。図１Ａ〜図１Ｅを参照して、端末とセルラー網のサービス要請（Ｓｅｒｖｉｃｅ  Ｒｅｑｕｅｓｔ）を説明する。
【００２９】
まず、図１Ａを参照すると、サービスを要請する前に、端末は、ＥＭＭ（ＥＰＳ  Ｍｏｂｉｌｉｔｙ  Ｍａｎａｇｅｍｅｎｔ）―登録（Ｒｅｇｉｓｔｅｒｅｄ）及びＥＣＭ（ＥＰＳ  Ｃｏｎｎｅｃｔｉｏｎ  Ｍａｎａｇｅｍｅｎｔ）／ＲＲＣ（Ｒａｄｉｏ  Ｒｅｓｏｕｒｃｅ  Ｃｏｎｔｒｏｌ）―遊休状態にある。この状態は、端末がセルラー網に登録されてはいるが、トラフィック非活性化でＳ１連結が解除され、無線資源が割り当てられていない状態である。すなわち、端末がＥＭＭ（ＥＰＳ  Ｍｏｂｉｌｉｔｙ  Ｍａｎａｇｅｍｅｎｔ）登録状態（ＥＭＭ―Ｒｅｇｉｓｔｅｒｅｄ）にあるが、ＥＣＭ（ＥＰＳ  Ｃｏｎｎｅｃｔｉｏｎ  Ｍａｎａｇｅｍｅｎｔ）休止状態（ＥＣＭ―Ｉｄｌｅ）にある。端末が伝送するトラフィックが発生（ＵＥ―ｔｒｉｇｇｅｒｅｄ  Ｎｅｗ  Ｔｒａｆｆｉｃ）したり、セルラー網で端末に伝送するトラフィックが発生（Ｎｅｔｗｏｒｋ―ｔｒｉｇｇｅｒｅｄ  Ｎｅｗ  Ｔｒａｆｆｉｃ）すると、端末はセルラー網にサービスを要請する。
【００３０】
この状態で、制御平面ではＳ５  ＧＴＰ―ＣトンネルとＳ１１  ＧＴＰ―Ｃトンネルが維持されており、ＥＣＭ連結は解除されている。また、ユーザー平面では、Ｓ５ベアラとアップリンクＳ１ベアラが維持されており、ダウンリンクＳ１ベアラとＤＲＢ（Ｄａｔｅ  Ｒａｄｉｏ  Ｂｅａｒｅｒ）は解除されている。
【００３１】
サービス要請が成功的に行われると、ＥＣＭ連結状態（ＥＣＭ―Ｃｏｎｎｅｃｔｅｄ）に遷移され、制御平面でＥＣＭ連結（ＲＲＣ連結＋Ｓ１シグナリング連結）が設定され、ユーザー平面でＥ―ＲＡＢ（Ｅ―ＵＴＲＡＮ  Ｒａｄｉｏ  Ａｃｃｅｓｓ  Ｂｅａｒｅｒ、ｅ．ｇ．，ＤＲＢ及びＳ１ベアラ）が設定され、トラフィックが送／受信され得る。セルラー網が端末にトラフィックを伝送する場合は、まず、端末に伝送するトラフィックがあることを知らせ、端末がサービスを要請することができる。
【００３２】
図１Ｂと共に、ＵＥ―トリガーされたサービス要請（ｔｒｉｇｇｅｒｅｄ  Ｓｅｒｖｉｃｅ  Ｒｅｑｕｅｓｔ）を説明する。端末は、ＭＭＥ（ｍｏｂｉｌｉｔｙ  ｍａｎａｇｅｍｅｎｔ  ｅｎｔｉｔｙ）にサービス要請メッセージを伝送することによってＥＣＭ連結を設定する。サービス要請メッセージは、無線区間ではＲＲＣ（Ｒａｄｉｏ  Ｒｅｓｏｕｒｃｅ  Ｃｏｎｔｒｏｌ）連結が設定され、ｅＮＢとＭＭＥ区間ではＳ１シグナリング連結が設定されることによってＭＭＥに伝達される。サービス要請メッセージは、端末とｅＮＢとの間の無線リンク上でＲＲＣ連結設定完了（Ｃｏｎｎｅｃｔｉｏｎ  Ｓｅｔｕｐ  Ｃｏｍｐｌｅｔｅ）メッセージを介してｅＮＢに伝送される。サービス要請メッセージは、ｅＮＢとＭＭＥとの間にはＳ１ＡＰメッセージである初期（Ｉｎｉｔｉａｌ）ＵＥメッセージを介してＭＭＥに伝達される。
【００３３】
図１Ｃを参照して、１０）ｅＮＢから端末へのＤＲＢ設定過程を説明する。ｅＮＢは、無線区間のＥＰＳ（Ｅｖｏｌｖｅｄ  Ｐａｃｋｅｔ  Ｓｙｓｔｅｍ）ベアラであるＤＲＢを生成するためにＤＲＢ  ＩＤを割り当てる。ｅＮＢは、ＭＭＥから受信したＥ―ＲＡＢ  ＱｏＳにしたがってＤＲＢ  ＱｏＳパラメーターを構成し、ＲＲＣ連結再構成（Ｃｏｎｎｅｃｔｉｏｎ  Ｒｅｃｏｎｆｉｇｕｒａｔｉｏｎ）メッセージを端末に伝達する。ｅＮＢからＲＲＣ連結再構成メッセージを受信した端末は、ＤＲＢとＳＲＢ（ｓｉｇｎａｌｌｉｎｇ  ｒａｄｉｏ  ｂｅａｒｅｒ）２を生成する。ＤＲＢが設定されると、端末からＰ―ＧＷ（Ｐａｃｋｅｔ  ｄａｔａ  ｎｅｔｗｏｒｋ  ＧａｔｅＷａｙ）までアップリンクＥＰＳベアラが全て設定され、端末で発生するアップリンクトラフィック伝送が可能である（１１）ＵＬ  Ｔｒａｆｆｉｃ  Ｐａｔｈ  Ａｖａｉｌａｂｌｅ）。
【００３４】
図１Ｄを参照して、ｅＮＢからＳ―ＧＷ（Ｓｅｒｖｉｎｇ  ＧａｔｅＷａｙ）へのダウンリンクＳ１ベアラ設定を説明する。１２）において、ｅＮＢは、Ｓ１ベアラに対するダウンリンクＳ１  ＴＥＩＤ（Ｓ１  ｅＮＢ  ＴＥＩＤ）を割り当てる。ｅＮＢは、８）で受信した初期コンテキスト設定要請（Ｉｎｉｔｉａｌ  Ｃｏｎｔｅｘｔ  Ｓｅｔｕｐ  Ｒｅｑｕｅｓｔ）メッセージに対する応答である初期コンテキスト設定応答（Ｉｎｉｔｉａｌ  Ｃｏｎｔｅｘｔ  Ｓｅｔｕｐ  Ｒｅｓｐｏｎｓｅ）メッセージを介してＳ１  ｅＮＢ  ＴＥＩＤをＭＭＥに伝送する。１３）において、ＭＭＥは、ベアラ修正要請（Ｍｏｄｉｆｙ  Ｂｅａｒｅｒ  Ｒｅｑｕｅｓｔ）メッセージを介してＳ―ＧＷにＳ１  ｅＮＢ  ＴＥＩＤを伝達する。Ｓ―ＧＷは、Ｓ１  ｅＮＢ  ＴＥＩＤを受信し、ダウンリンクＳ１ベアラを設定する。Ｓ―ＧＷは、１６）において、ベアラ修正応答（Ｍｏｄｉｆｙ  Ｂｅａｒｅｒ  Ｒｅｓｐｏｎｓｅ）メッセージを介してＭＭＥにダウンリンクＳ１ベアラ設定を完了したことを知らせる。１３）を終了すると、Ｓ―ＧＷからｅＮＢにダウンリンクＳ１  ＧＴＰ―Ｕトンネルが生成され、Ｐ―ＧＷからＵＥまでダウンリンクＥＰＳベアラが全て設定され、ＵＥに向かうダウンリンクトラフィック伝送が可能になる（１４）ＤＬ  Ｔｒａｆｆｉｃ  Ｐａｔｈ  Ａｖａｉｌａｂｌｅ）。
【００３５】
次に、図１Ｅを参照して、ネットワーク―トリガーされたサービス要請（Ｎｅｔｗｏｒｋ―ｔｒｉｇｇｅｒｅｄ  Ｓｅｒｖｉｃｅ  Ｒｅｑｕｅｓｔ）を説明する。図１Ｅは、セルラー網で休止状態にある端末に伝送するダウンリンクトラフィックが発生した場合、ネットワーク―トリガーされたサービス要請（Ｎｅｔｗｏｒｋ―ｔｒｉｇｇｅｒｅｄ  Ｓｅｒｖｉｃｅ  Ｒｅｑｕｅｓｔ）手順を示す。端末が休止状態にあり、ＭＭＥは、端末が現在いずれのセルにあるのかを知ることができない。ＭＭＥは、ページング（Ｐａｇｉｎｇ）手順を通じて端末に伝達するトラフィックがあることを知らせ、解除されているベアラ資源（Ｅ―ＲＡＢ資源）を設定する。
【００３６】
１．サービス要請トリガリング（Ｓｅｒｖｉｃｅ  Ｒｅｑｕｅｓｔ  Ｔｒｉｇｇｅｒｉｎｇ）
【００３７】
Ｓ―ＧＷがＳ５ベアラを介してＰ―ＧＷからダウンリンクデータパケットを受信したが、ダウンリンクＳ１ベアラが解除されている。すなわち、Ｓ―ＧＷにＳ１  ｅＮＢ  ＴＥＩＤ値が存在しないのでｅＮＢにダウンリンクデータパケットが伝送されない場合、Ｓ―ＧＷは、受信したデータパケットをバッファリングし、該当の端末がいずれのＭＭＥに登録されているのかを確認する。Ｓ―ＧＷは、端末に対するシグナリング連結及びベアラ設定が必要であることを知らせるために、端末が登録されているＭＭＥにダウンリンクデータ通知（Ｄｏｗｎｌｉｎｋ  Ｄａｔａ  Ｎｏｔｉｆｉｃａｔｉｏｎ）メッセージを伝送する。
【００３８】
２．ページング
【００３９】
ＭＭＥは、端末が、自分が管理するＴＡ（Ｔｒａｃｋｉｎｇ  Ａｒｅａ）にあるが、いずれのセルにあるのかを知ることができないので、端末が最も最近に登録したＴＡに属した各ｅＮＢにページングメッセージを伝達する。ｅＮＢは、ＭＭＥからページングメッセージを受信すると、ＰＣＨ（Ｐａｇｉｎｇ  Ｃｈａｎｎｅｌ）を介してこれを放送する。端末は、ＰＣＨをモニタリングしながら、自分が探すページングがあるとこれを認知する。
【００４０】
３．ＥＣＭ連結樹立（Ｃｏｎｎｅｃｔｉｏｎ  Ｅｓｔａｂｌｉｓｈｍｅｎｔ）
【００４１】
受信するトラフィックがあることを認知した端末は、ＭＭＥ（Ｍｏｂｉｌｉｔｙ  Ｍａｎａｇｅｍｅｎｔ  Ｅｎｔｉｔｙ）にサービス要請メッセージを伝送することによってＥＣＭ連結を設定するようになる。ＥＣＭ連結設定手順は、まず、端末がランダムアクセスチャンネル（ｒａｎｄｏｍ  ａｃｃｅｓｓ  ｃｈａｎｎｅｌ）を介してセルに接続し、ＲＲＣ（Ｒａｄｉｏ  Ｒｅｓｏｕｒｃｅ  Ｃｏｎｔｒｏｌ）連結設定のためにＲＲＣ連結要請（Ｃｏｎｎｅｃｔｉｏｎ  Ｒｅｑｕｅｓｔ）メッセージを伝送することによって開始される。その後、ＥＣＭ連結設定手順は、ＵＥ―トリガーされたサービス要請（ｔｒｉｇｇｅｒｅｄ  ｓｅｒｖｉｃｅ  ｒｅｑｕｅｓｔ）と同一に進行される。
【００４２】
図２は、ＩＥＥＥ  ８０２．１１によるＷＬＡＮ（Ｗｉｒｅｌｅｓｓ  Ｌｏｃａｌ  Ａｒｅａ  Ｎｅｔｗｏｒｋ）連結手順を示した図である。
【００４３】
図２を参照すると、端末は、自分の周辺に位置したＷＬＡＮのＡＰ（Ａｃｃｅｓｓ  Ｐｏｉｎｔ）を探索（ｓｃａｎｎｉｎｇ）する（Ｓ１０５）。端末がＡＰを探索する方法は、パッシブスキャニングとアクティブスキャニングとに大きく区分することができる。パッシブスキャニングによると、ＡＰが周期的にビーコンフレーム（ｂｅａｃｏｎ  ｆｒａｍｅ）を伝送する。端末がビーコンフレームを受信し、ビーコンフレームに対する応答メッセージをＡＰに伝送することによって、ＡＰが探索される。アクティブスキャニングによると、ＡＰは、ビーコンフレームを伝送せず、チャンネルをモニタリングする。ＡＰのカバレッジで端末がプローブ要請（ｐｒｏｂｅ  ｒｅｑｕｅｓｔ）を伝送すると、ＡＰはプローブ応答（ｐｒｏｂｅ  ｒｅｓｐｏｎｓｅ）を端末に伝送することによって、ＡＰが探索される。
【００４４】
端末は、探索された各ＡＰのうちいずれか一つのＡＰを選択する（Ｓ１１０）。端末は、選択されたＡＰとの同期化を行い、選択されたＡＰに対する情報を収集する。端末は、選択されたＡＰと認証を行う（Ｓ１１５）。ＡＰが端末を認証する方式としては、端末の認証要請に対してＡＰが認証手順を必ず行うオープンシステム（ｏｐｅｎ  ｓｙｓｔｅｍ）認証と、ＡＰに設定された共有秘密キーを通じて端末を認証するシェアードキー（ｓｈａｒｅｄ  ｋｅｙ）認証とがある。端末とＡＰは、認証のために、認証フレーム（Ａｕｔｈｅｎｔｉｃａｔｉｏｎ  ｆｒａｍｅ）を送受信する。続いて、端末とＡＰの無線連結が樹立される（Ｓ１２０）。端末は、アソシエーション要請（Ａｓｓｏｃｉａｔｉｏｎ  ｒｅｑｕｅｓｔ）をＡＰに伝送し、ＡＰは、アソシエーション応答（Ａｓｓｏｃｉａｔｉｏｎ  ｒｅｓｐｏｎｓｅ）を通じて端末にアソシエーションＩＤを割り当てる。
【００４５】
従来の方式に従うとき、ＡＰが探索されるためには、ＡＰは、ビーコンフレームを周期的に伝送したり（パッシブスキャニング）、端末からのプローブ要請（ｐｒｏｂｅ  ｒｅｑｕｅｓｔ）を持続的にモニタリング（アクティブスキャニング）しなければならない。よって、ＡＰがターンオフ（ｔｕｒｎ  ｏｆｆ）または遊休モード状態であると、ＡＰのビーコンフレームの伝送がなく、ＡＰのプローブ要請の受信も不可能であるので、端末は既存の方法によってはＡＰを探索することができない。
【００４６】
一方、ＩＥＥＥ  ８０２．１１では、端末のパワー節約モード（ｐｏｗｅｒ  ｓａｖｉｎｇ  ｍｏｄｅ）としてドーズモード（ｄｏｚｅ  ｍｏｄｅ）を定義している。ドーズモードは、端末のパワーを節約するために自分が送信しないか、自分に伝達されるデータがない場合、トランシーバの作動を一定時間中止させる機能である。アウェイクモードからドーズモードへの切り替え方法を見ると、端末は、初期アソシエーション要請フレーム（ａｓｓｏｃｉａｔｉｏｎ  ｒｅｑｕｅｓｔ  ｆｒａｍｅ）にリスニング区間（Ｌｉｓｔｅｎ  ｉｎｔｅｒｖａｌ）を明示することによってドーズ状態に切り替える。または、端末は、必要に応じてＰＭ＝１に設定されたナルデータフレーム（ｎｕｌｌ  ｄａｔａ  ｆｒａｍｅ）を伝送し、これに対するＡＣＫを受信した後、ドーズモードに進入することができる。ドーズモードにおいて、端末は、ビーコンフレームが伝送される時点付近でしばらく目覚めてビーコンフレームを確認する。端末は、トラフィック表示（Ｔｒａｆｆｉｃ  Ｉｎｄｉｃａｔｉｏｎ）ＭＡＰ  ＩＥ（Ｉｎｆｏｒｍａｔｉｏｎ  Ｅｌｅｍｅｎｔ）を確認する。ドーズモードからアウェイクモードへの切り替え方法を見ると、ＴＩＭ（Ｔｒａｆｆｉｃ  Ｉｎｄｉｃａｔｉｏｎ  ＭＡＰ）に自分のＡＩＤ（Ａｓｓｏｃｉａｔｉｏｎ  Ｉｄ）に該当するビットが１にセットされている場合、端末は、目覚めてＰＳ（Ｐｏｗｅｒ  Ｓａｖｅ）―ポール（Ｐｏｌｌ）メッセージの期間（ｄｕｒａｔｉｏｎ）領域に自分のＡＩＤを入れて伝送する。ＰＳ―ポールフレーム（Ｐｏｌｌ  ｆｒａｍｅ）を受信したＡＰは、バッファリング中のデータを端末に伝達する。バッファリングされたフレームが一つ以上であると、モアデータビット（ｍｏｒｅ  ｄａｔａ  ｂｉｔ）を１にセットし、フレームがさらにあることを端末に知らせる。
【００４７】
本発明に係るマルチ―ＲＡＴ環境を説明する前に、従来のマルチ―ＲＡＴ環境でのインター（ｉｎｔｅｒ）ＲＡＴ技術を簡略に説明する。従来のインターＲＡＴ技術は、端末の要請を基盤にして設計され、無線ＬＡＮとセルラー網との間のインターワーキングを必要としなかった。特定ネットワークサーバーが無線ＬＡＮ情報を管理し、端末の要請に応じてインターＲＡＴハンドオーバー（ｈａｎｄｏｖｅｒ）が行われた。さらに、端末がマルチ―ＲＡＴに同時接続可能であるとしても、無線レベル（Ｒａｄｉｏ  ｌｅｖｅｌ）での制御なしでネットワークレベル（ｎｅｔｗｏｒｋ  ｌｅｖｅｌ）でのフローモビリティ（ｆｌｏｗ  ｍｏｂｉｌｉｔｙ）／ＩＰ―フローマッピング（ｆｌｏｗ  ｍａｐｐｉｎｇ）のみをサポートする方式で端末がマルチプル（Ｍｕｌｔｉｐｌｅ）ＲＡＴに接続した。
【００４８】
従来の端末がマルチプルＲＡＴをサポートする方式としては、ＩＦＯＭ（ＩＰ  Ｆｌｏｗ  Ｍｏｂｉｌｉｔｙ）とＭＡＰＣＯＮ（Ｍｕｌｔｉ  Ａｃｃｅｓｓ  ＰＤＮ  Ｃｏｎｎｅｃｔｉｖｉｔｙ）がある。ＩＦＯＭは、３ＧＰＰの３Ｇ／ＷｉＦｉシームレスオフロード（Ｓｅａｍｌｅｓｓ  Ｏｆｆｌｏａｄ）（Ｒｅｌ―１０）において、ＤＳＭＩＰｖ６基盤のＩＰフロー単位のＷＬＡＮオフローディング（ｏｆｆｌｏａｄｉｎｇ）技術である。ＤＳＭＩＰｖ６（Ｄｕａｌ  Ｓｔａｃｋ  Ｍｏｂｉｌｅ  ＩＰｖ６）は、端末とネットワークでＩＰｖ４とＩＰｖ６を同時にサポートするソリューションであって、移動通信網の多様化によってＩＰｖ６の採択が拡大され、移動性サポートが核心技術として浮き彫りになりながら、既存のＩＰｖ４網までも移動性サポートが必要であるのでＤＳＭＩＰｖ６が採択された。ＩＦＯＭは、端末が自分の移動を探知してエージェント（ａｇｅｎｔ）に知らせるクライアント―基盤（ｃｌｉｅｎｔ―ｂａｓｅｄ）ＭＩＰ（Ｍｏｂｉｌｅ  Ｉｎｔｅｒｎｅｔ  Ｐｒｏｔｏｃｏｌ）技術である。モバイルノード（ｍｏｂｉｌｅ  ｎｏｄｅ）の移動性を管理するエージェントとしてＨＡ（Ｈｏｍｅ  Ａｇｅｎｔ）が存在し、ＨＡは、フローバインディングテーブル（Ｆｌｏｗ  Ｂｉｎｄｉｎｇ  Ｔａｂｌｅ）とバインディングキャッシュテーブル（Ｂｉｎｄｉｎｇ  Ｃａｃｈｅ  ｔａｂｌｅ）を用いる。一方、ＰＭＩＰｖ６を使用する場合、ＩＰフロー単位の管理が難しいという技術的問題の理由により、ＩＦＯＭはＤＳＭＩＰｖ６のみを使用している。
【００４９】
ＭＡＰＣＯＮは、互いに異なるＡＰＮ（Ａｃｃｅｓｓ  Ｐｏｉｎｔ  Ｎａｍｅ）に対する同時多重ＰＤＮ（Ｐｕｂｌｉｃ  Ｄａｔａ  Ｎｅｔｗｏｒｋ）連結（Ｓｉｍｕｌｔａｎｅｏｕｓ  ｍｕｌｔｉｐｌｅ  ＰＤＮ  ｃｏｎｎｅｃｔｉｖｉｔｙ  ｔｏ  ｄｉｆｆｅｒｅｎｔ  ＡＰＮ）に対する技術であって、プロトコル非依存型（Ｐｒｏｔｏｃｏｌ  ｉｎｄｅｐｅｎｄｅｎｔ）であり、ＰＭＩＰｖ６、ＧＴＰ、ＤＳＭＩＰｖ６を全て使用することができる。ＭＡＰＣＯＮによると、一つのＰＤＮを介して伝送中であったデータフロー（ｄａｔａ  ｆｌｏｗｓ）全体が移動する。
【００５０】
このような従来技術は、ＡＰとセルラー網との間に何ら制御連結（ｃｏｎｔｒｏｌ  ｃｏｎｎｅｃｔｉｏｎ）も要求しておらず、端末の要請を基盤にして進行されてきた。しかし、マルチ―ＲＡＴ使用を通じて全般的なネットワークの効率を高めるためには、端末要請基盤のみに依存するよりは、ネットワーク基盤の緊密に結合された管理（ｔｉｇｈｔｌｙ―ｃｏｕｐｌｅｄ  ｍａｎａｇｅｍｅｎｔ）が必要である。
【００５１】
本発明の各実施例では、互いに異なるＲＡＴ間の直接制御連結（ｄｉｒｅｃｔ  ｃｏｎｔｒｏｌ  ｃｏｎｎｅｃｔｉｏｎ）が設定されることによって、効率的で且つ速いインター―ＲＡＴインターワーキングが可能になる。
【００５２】
図３Ａは、本発明の一実施例に係るマルチ―ＲＡＴ環境を示した図である。
【００５３】
（１）のように端末がセルラー網のみに接続した状態でのＷｉＦｉ自動切り替え／同時伝送のためには、事前技術の定義が必要である。インターワーキングのためのＡＰ情報管理は、ネットワークレベル（セルラー（ｃｅｌｌｕｌａｒ）―ＷｉＦｉ）で行われ、ＷｉＦｉディスカバリー（ｄｉｓｃｏｖｅｒｙ）及びＷｉＦｉ網接続はデバイスレベル（ｄｅｖｉｃｅ  ｌｅｖｅｌ）（セルラー―デバイス―ＷｉＦｉ）で行われる。
【００５４】
（２）―１〜（２）―３は、それぞれユーザー平面のＷｉＦｉ自動切り替え、フローのＷｉＦｉ自動切り替え、ベアラのＷｉＦｉ自動切り替え、データのＷｉＦｉ自動切り替えを示す。遊休モード状態にあるＡＰとの連結を望む端末がＡＰの状態切り替えを要請するプロシージャの定義が必要である。
【００５５】
（２）―１により、セルラー―ＷｉＦｉ  Ｕ―平面自動切り替えが行われると、全てのデータはＷｉＦｉのみで伝送される。（２）―２、（２）―３のシナリオにより、セルラー―ＷｉＦｉ  Ｕ―平面が同時に伝送されるように切り替えられると、帯域分離または集約（ｂａｎｄｗｉｄｔｈ  ｓｅｇｒｅｇａｔｉｏｎ  ｏｒ  ａｇｇｒｅｇａｔｉｏｎ）技法を使用してＷｉＦｉとセルラーネットワークでデータの同時伝送が可能である。ここで、帯域分離は、（２）―２のようにフロー（サービス／ＩＰフロー）別自動切り替えであって、互いに異なるフローは互いに異なるＲＡＴを介して伝送される。（２）―２において、フロー別自動切り替えは、一つまたは一つ以上のサービス／ＩＰフローであり得る。すなわち、フロー単位切り替え（（２）―２―１）またはデータ無線（Ｄａｔａ  ｒａｄｉｏ）（またはＥＰＳ）ベアラ別切り替え（（２）―２―２）であり得る。帯域集約は、（２）―３のように、同一のフローであるとしても、データ単位で互いに異なるＲＡＴを介して伝送できるようにする。
【００５６】
（２）のようにＷｉＦｉ自動切り替えが行われた後、（３）のようにＷｉＦｉ基盤でセルラーリンク制御（ｃｅｌｌｕｌａｒ  ｌｉｎｋ  ｃｏｎｔｒｏｌ）が可能である。セルラーリンク（Ｃｅｌｌｕｌａｒ  ｌｉｎｋ）と関連したページングまたは無線リンク失敗（ｒａｄｉｏ  ｌｉｎｋ  ｆａｉｌｕｒｅ）に対する制御をＷｉＦｉリンクを介して受信可能である。
【００５７】
図３Ｂは、本発明の他の一実施例に係るマルチ―ＲＡＴ環境を示した図である。図３Ｂに示したマルチ―ＲＡＴ環境では互いに異なる２個のＲＡＴが融合されており、第１のＲＡＴはセルラーシステム（例えば、ＬＴＥ／ＬＴＥ―Ａ、ワイブロシステム）であって、第２のＲＡＴはＷｉＦｉシステムであると仮定するが、これに限定されることはない。図３Ｂに示したマルチ―ＲＡＴ環境では、第１のＲＡＴと第２のＲＡＴとの間に、インターワーキングのための制御連結が存在する。制御連結は、例えば、第１のＲＡＴのｅＮＢと第２のＲＡＴのＡＰとの間の無線制御連結（Ｗｉｒｅｌｅｓｓ  ｃｏｎｔｒｏｌ  ｃｏｎｎｅｃｔｉｏｎ）であるか、またはＰ―ＧＷ（Ｐｕｂｌｉｃ  ｄａｔａ  ｎｅｔｗｏｒｋ  Ｇａｔｅｗａｙ）またはＥＰＣ（Ｅｖｏｌｖｅｄ  Ｐａｃｋｅｔ  Ｃｏｒｅ）などのバックボーン（Ｂａｃｋｂｏｎｅ）網を介した有線制御連結（Ｗｉｒｅｄ  ｃｏｎｔｒｏｌ  ｃｏｎｎｅｃｔｉｏｎ）であり得る。
【００５８】
また、全般的なシステムのエネルギー効率を高めるために、マルチ―ＲＡＴのインターワーキングを担当するするエンティティ（ｉｎｔｅｒｗｏｒｋｉｎｇ  ｅｎｔｉｔｙ（以下、ＩＷＥ））は、特定条件下では特定ＲＡＴのＴｘ／Ｒｘパワーをターンオン／オフするように指示したり、特定ＲＡＴのノード（ｅ．ｇ．，ＡＰ）の状態遷移（ｓｔａｔｕｓ  ｔｒａｎｓｉｔｉｏｎ）を制御することができる。さらに、ＡＰジャミング（ｊａｍｍｉｎｇ）環境で、ＡＰ間の干渉軽減（ｉｎｔｅｒｆｅｒｅｎｃｅ  ｍｉｔｉｇａｔｉｏｎ）もＩＷＥによって制御することができる。
【００５９】
インターワーキングを担当するＩＷＥ（ＩｎｔｅｒＷｏｒｋｉｎｇ  Ｅｎｔｉｔｙ）は、第１のＲＡＴ、例えば、セルラー網内にある任意のノードであり得るが、以下の三つのエンティティ内にインターワーキング機能（ｉｎｔｅｒｗｏｒｋｉｎｇ  ｆｕｎｃｔｉｏｎ）が具現されると仮定する。よって、ＩＷＥは、下記の（１）、（２）、（３）のうちいずれか一つであり、これに限定されることはない。
【００６０】
（１）ｅ―ＮＢ―既存のエンティティの再使用（ｒｅｕｓｅ  ｅｘｉｓｔｉｎｇ  ｅｎｔｉｔｙ）
【００６１】
（２）ＭＭＥ（Ｍｏｂｉｌｉｔｙ  Ｍａｎａｇｅｍｅｎｔ  Ｅｎｔｉｔｙ）―既存のエンティティの再使用（ｒｅｕｓｅ  ｅｘｉｓｔｉｎｇ  ｅｎｔｉｔｙ）
【００６２】
（３）ＩＷＭＥ（ＩｎｔｅｒＷｏｒｋｉｎｇ  Ｍａｎａｇｅｍｅｎｔ  Ｅｎｔｉｔｙ）―新たなエンティティを定義（ｄｅｆｉｎｅ  ｎｅｗ  ｅｎｔｉｔｙ）
【００６３】
端末がマルチ―ＲＡＴに同時に接続する前に、ＩＷＥは、端末が最適なＲＡＴまたはＡＰを選択するように助けることができる。このために、ＩＷＥが端末またはＡＰからＷｉＦｉなどの第２のＲＡＴの情報を事前に収集することができる。
【００６４】
本発明の一実施例によると、端末が第２のＲＡＴに接続する前に、第１のＲＡＴから第２のＲＡＴ及び第２のＲＡＴのＡＰに関する情報を受信する。端末が検索した第２のＲＡＴのＡＰの状態が遊休モードである場合、第２のＲＡＴのＡＰの状態を端末の要請に応じて活性化モードに切り替える方法を提案する。
【００６５】
ピークスループット（ｐｅａｋ  ｔｈｒｏｕｇｈｐｕｔ）及びデータトラフィックオフ―ローディング（ｄａｔａ  ｔｒａｆｆｉｃ  ｏｆｆ―ｌｏａｄｉｎｇ）のために、マルチ―ＲＡＴインターワーキングを通じて、端末は、第１のＲＡＴと第２のＲＡＴを同時にサポートすることができる。ここで、第１のＲＡＴをプライマリーネットワーク（Ｐｒｉｍａｒｙ  ｎｅｔｗｏｒｋ）またはプライマリーシステム（Ｐｒｉｍａｒｙ  ｓｙｓｔｅｍ）と称し、第２のＲＡＴをセカンダリーネットワーク（Ｓｅｃｏｎｄａｒｙ  ｎｅｔｗｏｒｋ）またはセカンダリーシステム（Ｓｅｃｏｎｄａｒｙ  ｓｙｓｔｅｍ）と称することができる。例えば、端末は、ＬＴＥ／ＬＴＥ―ＡとＷｉＦｉ（ＷＬＡＮ／８０２．１１などの近距離通信システム）を同時にサポートするように構成することができる。このような端末を、本明細書でマルチシステムサポート端末（Ｍｕｌｔｉ―ｓｙｓｔｅｍ  ｃａｐａｂｉｌｉｔｙ  ＵＥ）などと称することができる。
【００６６】
図３Ｂに示したネットワーク構造において、プライマリーシステムは広いカバレッジ（ｗｉｄｅｒ  ｃｏｖｅｒａｇｅ）を有し、制御情報伝送のための網であり得る。プライマリーシステムの例として、ＷｉＭＡＸまたはＬＴＥ（ＬＴＥ―Ａ）システムがあり得る。一方、セカンダリーシステムは小さいカバレッジを有する網であって、データ伝送のためのシステムであり得る。セカンダリーネットワークは、例えば、ＷＬＡＮまたはＷｉＦｉなどの無線ＬＡＮシステムであり得る。
【００６７】
本発明の各実施例では、次の事項を仮定して説明する。
【００６８】
インターワーキング機能は、ｅＮＢ―ＵＥまたはｅＮＢ―ＡＰ間に発生し得るインターワーキング関連プロシージャと関連しており、ＩＷＥはＡＰ情報を格納／管理する。ＩＷＥは、自分のカバレッジ（ｃｏｖｅｒａｇｅ）の下側にある各ＡＰの情報を格納／管理する。セカンダリーシステム（ｅ．ｇ．，ＷｉＦｉ）のＡＰ（ａｃｃｅｓｓ  ｐｏｉｎｔ）とプライマリーシステム（ｅ．ｇ．，ＬＴＥまたはＷｉＭＡＸ）のＩＷＥは、互いに制御連結を通じて必要な情報を共有できると仮定する。ＡＰとＩＷＥが情報を共有するためには、下記の各方法１）〜４）を例示することができる。
【００６９】
方法１）．有線制御連結
【００７０】
バックボーン網を介して新たなインターフェース（ｉｎｔｅｒｆａｃｅ）が設定される
【００７１】
方法２）．無線制御連結
【００７２】
方法２）によると、ＡＰは、ｅＮＢとのエアインターフェース（ａｉｒ  ｉｎｔｅｒｆａｃｅ）を有し、このようなＡＰをｅＡＰと称することができる。例えば、ｅＡＰは、８０２．１１  ＭＡＣ／ＰＨＹのみならず、ｅＮＢとの通信のためのＬＴＥプロトコルスタックをサポートする。ｅＡＰは、ｅＮＢとの関係ではＬＴＥ  ＵＥと類似するように見なすことができ、ｅＮＢと通信することができる。
【００７３】
方法３）．ＡＮＤＳＦ（Ａｃｃｅｓｓ  Ｎｅｔｗｏｒｋ  Ｄｉｓｃｏｖｅｒｙ  Ｓｅｒｖｉｃｅ  Ｆｕｎｃｔｉｏｎ）などの既存の網以外のサーバーを介してＡＰとＩＷＥとが互いの情報を収集する。
【００７４】
一方、本発明の各実施例において、ＡＰは、全体のシステム効率のために自分の状態をターンオン／オフ（または活性化／遊休（スリープ）モード）に切り替えることができる。ＡＰに対する情報、例えば、状態情報はＩＷＥによって格納及び管理することができる。ＩＷＥがＡＰに対する情報を格納及び管理する方法としては、ＩＷＥがどのような第１のＲＡＴのエンティティに具現されるかによって、以下の４つの方法Ａ〜Ｄを例示することができ、これに限定されることはない。
【００７５】
方法Ａ）．ｅＮＢとＡＰとの間のエアインターフェース使用
【００７６】
ｅＮＢは、ＡＰとの無線制御連結を用いてＡＰを一般ＵＥと類似する形に制御する。
【００７７】
方法Ｂ）．ｅＮＢとＡＰとの間のバックホールインターフェース（ｂａｃｋｈａｕｌ  ｉｎｔｅｒｆａｃｅ）使用
【００７８】
ｅＮＢは、ＡＰとの有線制御連結を用いてＡＰを制御する。
【００７９】
方法Ｃ）．ＭＭＥとＡＰとの間の制御インターフェース（ｃｏｎｔｒｏｌ  ｉｎｔｅｒｆａｃｅ）使用
【００８０】
ＭＭＥとＡＰ（すなわち、セカンダリーシステム）との間の制御連結を用いてＡＰを制御する。
【００８１】
方法Ｄ）．ＩＷＭＥとＡＰとの間の制御インターフェース使用
【００８２】
ＩＷＭＥとＡＰ（すなわち、セカンダリーシステム）との間の制御連結を用いてＡＰを制御する。
【００８３】
図４は、本発明の一実施例に係る第２のＲＡＴの基地局の遊休モードを示した図である。第２のＲＡＴの基地局は、自らの判断によってまたはＩＷＥの指示によって、活性化モードから遊休モードに状態を切り替えることができる。実施例によって、遊休モードは、ＤＲＸ（ｄｉｓｃｏｎｔｉｎｕｏｕｓ  Ｒｅｃｅｐｔｉｏｎ）モード、ＤＴＸ（ｄｉｓｃｏｎｔｉｎｕｏｕｓ  Ｔｒａｎｓｍｉｓｓｉｏｎ）モード、またはＤＲＸ／ＤＴＸモードと称することができる。第２のＲＡＴの基地局がＷＬＡＮのＡＰであると仮定する。
【００８４】
トリガー条件（Ｔｒｉｇｇｅｒ  ｃｏｎｄｉｔｉｏｎ）が満足されると、ＡＰの状態を活性化モードから遊休モードに切り替えることができる。トリガー条件は、例えば、１）周辺ＡＰとの干渉（ｉｎｔｅｒｆｅｒｅｎｃｅ）が激しい場合（ｅ．ｇ．，パブリック（ｐｕｂｌｉｃ）ＡＰの場合）、２）特定ＡＰのユーザーがいない場合（ｅ．ｇ．，プライベート（ｐｒｉｖａｔｅ）ＡＰの場合）、３）ユーザーがほとんどいない時間帯（ｅ．ｇ．，パブリックＡＰの場合）、ＩＷＥは特定ＡＰにターンオフを指示することができる。
【００８５】
ＡＰの遊休モード／活性化モードは、ＡＰの全体のチャンネルに対して設定することもできるが、チャンネル別に設定することもできる。例えば、ＡＰは、最後に使用したチャンネルに対して遊休モードを設定したり、または、ＩＷＥによって選択されたチャンネルのみをモニタリングすることもできる。
【００８６】
まず、図４（ａ）を参照すると、ＡＰは、ＩＷＥから遊休モードでのＡＰの動作を定義するメッセージを受信する。ＡＰの動作を定義するメッセージは、ＡＰが遊休モードで動作するために必要な情報を含む。例えば、ＡＰの動作を定義するメッセージは、ＤＲＸ（ｄｉｓｃｏｎｔｉｎｕｏｕｓ  ｒｅｃｅｐｔｉｏｎ）期間（ｄｕｒａｔｉｏｎ）、ＤＲＡの開始オフセット（ｓｔａｒｔ  ｏｆｆｓｅｔ）、リスニング区間（ｌｉｓｔｅｎｉｎｇ  ｉｎｔｅｒｖａｌ）及びスリープ区間（ｓｌｅｅｐ  ｉｎｔｅｒｖａｌ）のうち少なくとも一つの情報を含むことができる。
【００８７】
遊休モード状態でのＡＰは、ＤＲＸ期間のうち少なくとも１回目覚めてチャンネルをモニタリングする。図４（ａ）の実施例において、ＤＲＸは、非連続的なチャンネルのモニタリングを意味し得る。ＡＰの動作を定義するメッセージが開始オフセットを含むと、開始オフセットからＤＲＸ期間が開始される。リスニング区間（Ｌｉｓｔｅｎｉｎｇ  ｉｎｔｅｒｖａｌ（ＬＩ））は、ＡＰ  ＤＲＸ期間のうちＡＰがしばらく目覚めてチャンネルをモニタリングする区間である。例えば、ＡＰは、リスニング区間の間、端末から伝送されるページングメッセージ（ｐａｇｉｎｇ  ｍｅｓｓａｇｅ）の有無を確認する。ＡＰは、リスニング区間の間、端末から伝送され得るデータをモニタリングすること以外は、何らメッセージも伝送しない。スリープ区間は、ＡＰ  ＤＲＸ期間のうちリスニング区間を除いた区間であって、ＡＰは、スリープ区間の間、パワーをターンオフし、何らチャンネルもモニタリングしない。
【００８８】
ＡＰは、リスニング区間の間、アウェイク要請メッセージを端末から受信することができる。言い換えると、ＡＰは、端末から活性化モードに状態を切り替えることを要請するメッセージを受信することができる。アウェイク要請メッセージは、多様な方式で具現できるが、例えば、プローブ要請タイプ、ページングタイプ、また他の形式のアウェイク要請指示（Ａｗａｋｅ  Ｒｅｑｕｅｓｔ  Ｉｎｄｉｃａｔｉｏｎ）タイプのメッセージとして具現することができる。ＡＰは、リスニング区間の間、端末からアウェイク要請メッセージが受信されると、活性化モードに切り替えて端末に応答する。ＡＰが端末に応答する方法として、例えば、プローブ応答またはビーコンを伝送することができ、これに限定されることはない。
【００８９】
このように、遊休モードで、ＡＰは非連続的にチャンネルをモニタリングするので、端末がＡＰを目覚ますためにはリスニング区間の位置を知っていなければならない。
【００９０】
図４（ｂ）では、図４（ａ）と重複する説明を省略する。図４（ｂ）を参照すると、活性化モードで、ＡＰはノーマルビーコン（ｎｏｒｍａｌ  ｂｅａｃｏｎ）信号を伝送するが、遊休モードで、ＡＰはショートビーコン（ｓｈｏｒｔ  ｂｅａｃｏｎ）信号を伝送する。
【００９１】
ショートビーコンは、ノーマルビーコンに比べて、伝送信号またはメッセージ長さを短く、伝送周期を長く設定することができる。また、ショートビーコンは、ＡＰを識別するための識別情報、ＡＰの状態に対する情報、ＤＲＸ期間、開始オフセット、リスニング区間及びスリープ区間に対する情報のうち少なくとも一つを含むことができる。ショートビーコンには、端末がＡＰのリスニング区間を計算できるようにするための情報を含ませることもできる、例えば、ＡＰのＩＤ％Ｎを用いたリスニング区間（フレーム）が計算されるとき、Ｎは、ＡＰのショートビーコンを通じて端末に提供したり、またはＩＷＥを通じて提供することができる。
【００９２】
ショートビーコンは非連続的に伝送され得るので、図４（ｂ）の遊休モードは、ＤＴＸ（ｄｉｓｃｏｎｔｉｎｕｏｕｓ  Ｔｒａｎｓｍｉｓｓｉｏｎ）の動作を含む。ショートビーコンは、リスニング区間に先行する位置で伝送されることが好ましい。例えば、リスニング区間が開始されるフレームでショートビーコンが伝送されたり、またはリスニング区間が開始される直前のフレームでショートビーコンが伝送されたり、リスニング区間が開始される前のｎ（ｎ＞１）番目のフレームでショートビーコンが伝送され得るが、これに限定されることはない。
【００９３】
一方、ショートビーコンは、ＤＴＸ期間の間に少なくとも１回伝送され、ＤＴＸ期間の長さは、ＤＲＸ期間の長さと同一であり得る。
【００９４】
また他の実施例では、活性化モードでもショートビーコンが伝送され得るが、活性化モードでのショートビーコンの伝送周期は、遊休モードでより小さく設定されることが好ましい。
【００９５】
ＡＰは、ショートビーコンを伝送した後、チャンネルをリスニング区間の間モニタリングし、ショートビーコンに対する応答が端末から受信されると活性化モードに切り替える。
【００９６】
図５は、本発明の一実施例に係る第２のＲＡＴのＡＰの状態を切り替える方法を示した図である。図５を参照すると、説明の便宜上、ＩＷＥがｅＮＢ及びＭＭＥと別途のエンティティに図示されている。しかし、上述したように、ＩＷＥは、ｅＮＢまたはＭＭＥなどの第１のＲＡＴの任意のノードに具現することができる。端末は、マルチ―ＲＡＴをサポートし、第１のＲＡＴのみに接続した状態であると仮定する。また、第２のＲＡＴのＡＰが一つに図示されたが、これは説明の便宜のためのものに過ぎなく、多数のＡＰが存在し得る。
【００９７】
まず、第２のＲＡＴのＡＰは、活性化モードから遊休モード状態に切り替えるために、ＩＷＥに状態切り替えのためのトリガー条件が満足されたことを知らせるメッセージを伝送する（Ｓ３０５）。第２のＲＡＴのＡＰは、自らの判断によって遊休モードに状態を切り替え、これをＩＷＥに報告することができる。ただ、ＩＷＥがトリガー条件を判断するまた他の実施例によると、Ｓ４０５は省略可能である。
【００９８】
ＩＷＥは、第２のＲＡＴのＡＰに遊休モードでのＡＰの動作を定義するメッセージを伝送する（Ｓ３１０）。ＩＷＥがＡＰの状態切り替えを指示するまた他の実施例によると、ＡＰに遊休モードに状態を切り替えることを指示する命令をＡＰに伝送することができる。ＡＰに遊休モードに状態を切り替えることを指示する命令は、ＡＰの動作を定義するメッセージと共に伝送したり、またはそれぞれ別途に伝送することができる。
【００９９】
ＡＰの動作を定義するメッセージは、遊休モードでＡＰの動作に必要な情報、例えば、ＤＲＸ期間、リスニング区間、開始オフセットに関する情報のうち少なくとも一つを含むことができる。また、遊休モードで第２のＲＡＴのＡＰがショートビーコンを非連続的に伝送する実施例によると、ＡＰの動作を定義するメッセージには、ショートビーコンのＤＴＸ期間に関する情報をさらに含ませることができる。ＡＰの動作を定義するメッセージは、第２のＲＡＴのＡＰとＩＷＥとの間の有／無線の制御連結を通じてＡＰに伝送することができる。
【０１００】
第２のＲＡＴのＡＰは、ＩＷＥから受信されたＡＰの動作を定義する情報に基づいて動作する。遊休モードでのＡＰの動作は、上述した図４に関する説明を参照する。ＩＷＥは、第２のＲＡＴのＡＰの状態に関する情報、例えば、活性化モード／遊休モード、ＤＲＸ期間、リスニング区間、及び開始オフセットに対する情報を格納する。
【０１０１】
一方、端末が第２のＲＡＴのＡＰに接続する必要がある場合、ＩＷＥは、端末に第２のＲＡＴのＡＰに対する情報を伝送する（Ｓ３１５）。ＩＷＥは、端末の位置を参照して、端末の周辺に位置した少なくとも一つの第２のＲＡＴのＡＰに対する情報を伝送することができる。例えば、ＩＷＥは、端末がＡ領域に位置すると判断されると、Ａ領域内に位置したり、Ａ領域と一定距離内に位置する第２のＲＡＴのＡＰに対する情報を端末に伝送することができる。一定距離は、第２のＲＡＴのＡＰのカバレッジを考慮して決定することができる。端末の周辺に多くのＡＰが存在する場合、ＩＷＥは、多数のＡＰに対する情報を端末に伝送することができる。
【０１０２】
端末が第２のＲＡＴのＡＰに接続する必要がある場合を例示すると、端末が移動することによって第２のＲＡＴのＡＰと隣接した第１のＲＡＴの特定セルに進入したり、第１のＲＡＴに対する端末のアップリンク／ダウンリンクのデータトラフィックが増加したり、端末が第１のＲＡＴに第２のＲＡＴへの接続を要請するなどの場合があり得るが、これに限定されることはない。
【０１０３】
また、ＩＷＥは、端末が最近接続したＡＰ、接続頻度の高いＡＰなどの端末が接続を好むＡＰ（ｐｒｅｆｅｒｒｅｄ  ＡＰ）に対する情報を端末に接続することができる。端末の周辺に多数のＡＰが存在すると、優先（ｐｒｅｆｅｒｒｅｄ）ＡＰに対する情報を先に端末に伝送することができる。これとは異なり、多数のＡＰに対する情報を同時に伝送し、各ＡＰに対する優先順位を付与することができる。一方、ＩＷＥは、優先ＡＰを識別するために、端末から第２のＲＡＴ接続に対する情報を収集したり、または第２のＲＡＴのＡＰから端末の接続に対する情報を収集することができる。
【０１０４】
ＩＷＥが端末に伝送する第２のＲＡＴのＡＰに対する情報は、ＡＰの状態に対する情報を含む。例えば、ＡＰの状態が活性化モードであるか、それとも遊休モードであるかを示すパラメーターを１ビットで伝送することができる。ただ、ＡＰの状態には、活性化モード及び遊休モードのみならず、また他のモードが存在し得る。この場合、ＡＰの状態情報のサイズは、モードの個数によって変更可能である。
【０１０５】
端末は、ＩＷＥから受信された第２のＲＡＴのＡＰに対する情報を用いて、自分の周辺に位置する少なくとも一つの第２のＲＡＴのＡＰの状態を判断することができる。第２のＲＡＴのＡＰが遊休モードである場合、第２のＲＡＴのＡＰに対する情報は、ＤＲＸ期間、リスニング区間、及び開始オフセットに対する情報をさらに含むことができる。併せて、第２のＲＡＴのＡＰに対する情報は、ＡＰの基本情報（ｅ．ｇ．，ＳＳＩＤ、チャンネルリスト（ｃｈａｎｎｅｌ  ｌｉｓｔ）、中心周波数など）をさらに含むことができる。
【０１０６】
端末は、ＩＷＥから受信された第２のＲＡＴのＡＰに対する情報に基づいて、端末周辺の各ＡＰを探索する。端末は、第２のＲＡＴのＡＰに対する情報に基づいて、端末の周辺に位置した各ＡＰのうち遊休モード状態であるＡＰの有無を判断することができる。遊休モード状態であるＡＰがあると、端末は、第２のＲＡＴのＡＰに対する情報を通じて、自分が遊休モード状態であるＡＰのカバレッジ内にあるか否かを判断することができる。
【０１０７】
端末は、第２のＲＡＴのＡＰに対する情報を通じて、遊休モード状態であるＡＰのリスニング区間の位置が分かる。例えば、端末は、ＤＲＸ期間、開始オフセット、及びリスニング区間を通じて、第２のＲＡＴのＡＰのリスニング区間の位置を計算することができる。
【０１０８】
端末は、遊休モード状態である第２のＲＡＴのＡＰにアウェイク要請メッセージを生成し、これをリスニング区間に伝送する（Ｓ３２０）。アウェイク要請メッセージは、プローブ要請タイプに新たなパラメーター（ｅ．ｇ．，アウェイク表示（ａｗａｋｅ  ｉｎｄｉｃａｔｉｏｎ）をさらに追加して具現することができる。また他の方法として、アウェイク要請メッセージは、既存に定義されていない新たなタイプ（ｅ．ｇ．，ページングＡＰ）として具現することができる。併せて、アウェイク要請メッセージは、端末の情報（ｅ．ｇ．，端末ＩＤ、サポートレート（Ｓｕｐｐｏｒｔｅｄ  Ｒａｔｅｓ）、サポートオペレーティングクラス（Ｓｕｐｐｏｒｔｅｄ  Ｏｐｅｒａｔｉｎｇ  Ｃｌａｓｓｅｓ）など）をさらに含むこともできる。
【０１０９】
リスニング区間に端末から目覚めることを要請したメッセージを受信したＡＰは、状態を活性化モードに切り替え、状態が切り替えられたことをＩＷＥに報告する（Ｓ３２５）。ＩＷＥは、ＡＰの状態に対する情報を更新する。また、ＡＰは、所定のメッセージに対する応答メッセージを端末に伝送する（Ｓ３３０）。ＡＰの応答メッセージは、例えば、プローブ応答、ビーコン、または新たなタイプのページングＡＣＫメッセージであり得る。端末は、ＡＰからの応答メッセージを介して、自分が第２のＲＡＴのＡＰのカバレッジ内にあることを確認することができる。言い換えると、応答メッセージを伝送したＡＰは端末によって探索され、端末の要請に応じて状態が活性化モードに切り替えられたと理解することができる。
【０１１０】
本発明の一実施例によると、ＡＰがプライベートＡＰであり得る。また、ＡＰは、目覚めることを要請したメッセージに含まれた端末の情報を通じて、端末がＡＰに接続する権限を有するか否かを先に判断することができる。端末がＡＰに接続する権限を有していないと判断されると、ＡＰは遊休モードを継続して維持することができる。
【０１１１】
端末が目覚めることを要請したメッセージに対するＡＰの応答メッセージを受信していない場合、端末は、該当のＡＰが探索されていないと判断する。言い換えると、端末は、自分が該当のＡＰのカバレッジに位置していないと判断することができる。このとき、該当のＡＰは、活性化モードに状態が切り替えられず、遊休モードが継続して維持される。一方、端末は、また他のＡＰへの接続を試みることもできる。
【０１１２】
端末は、ＡＰを探索した結果をＩＷＥに伝送する（Ｓ３４０）。端末が複数のＡＰを探索した場合、端末は、複数のＡＰが探索されたことをＩＷＥに知らせることができる。実施例によって、探索された各ＡＰに対する各付加情報、例えば、ＳＮＲ、干渉などに対する情報を共に伝送することができる。
【０１１３】
ＩＷＥは、端末が接続する第２のＲＡＴのＡＰを決定する（Ｓ３４５）。端末が多数のＡＰを探索した場合、ＩＷＥは、探索された各ＡＰのうちいずれか一つを端末が接続するＡＰとして選択する。ＩＷＥは、優先ＡＰを、端末が接続するＡＰとして選択することができる。ＩＷＥは、探索された各ＡＰのうち干渉が少なく、チャンネルの品質が良好なＡＰを選択することもできる。ＩＷＥは、端末に決定されたＡＰに接続することを指示する命令（ｅ．ｇ．，ＡＰ  ａｔｔａｃｈ  ｃｍｄ）を伝送する（Ｓ３５０）。
【０１１４】
端末は、第２のＲＡＴのＡＰに接続を要請（ｅ．ｇ．，アソシエーション要請）し（Ｓ３６０）、ＡＰは、ＨＳＳ／ＡＡＡ（Ｈｏｍｅ  Ｓｕｂｓｃｒｉｂｅｒ  Ｓｅｒｖｅｒ／Ａｕｔｈｅｎｔｉｃａｔｉｏｎ、Ａｕｔｈｏｒｉｚａｔｉｏｎ  ａｎｄ  Ａｃｃｏｕｎｔｉｎｇ）を通じて認証を行う（Ｓ３６５）。認証に成功すると、ＡＰとＰ―ＧＷとの間のデータトンネルが生成され、Ｐ―ＧＷはＡＰにＩＰ住所を割り当てる（Ｓ３７０）。ＡＰが端末にアソシエーション応答を伝送する（Ｓ３７５）ことによって、端末とＡＰとの間の接続手順が完了する。
【０１１５】
端末は、第２のＲＡＴのＡＰに接続した後、第１のＲＡＴに対する接続を解除することもできるが（ハンドオーバーまたはスイッチング）、第１のＲＡＴに対する接続と第２のＲＡＴに対する接続を同時に維持することもできる。よって、端末は、第１のＲＡＴ及び第２のＲＡＴと同時にアップリンク／ダウンリンクデータを送受信することができる。
【０１１６】
他の実施例によると、ＩＷＥがＡＰの状態を活性化モードに切り替えることもできるが、この場合、ＩＷＥは、端末がＡＰのカバレッジに位置するか否かを正確に判断しにくい。端末がＡＰのカバレッジに位置していない場合、ＡＰの状態を活性化モードに切り替えると、端末が接続不可能なＡＰを不要に状態切り替えるようになるという短所がある。ＩＷＥが、端末がＡＰのカバレッジに位置するか否かを正確に判断しにくい理由は、第１のＲＡＴのｅＮＢにおいて、一つのセルのカバレッジに比べて第２のＲＡＴのＡＰのカバレッジが相対的に狭小であるためである。本発明の実施例では、端末のＡＰ探索結果に基づいて端末がＡＰを状態切り替えるので、上述した問題を解決することができる。
【０１１７】
また他の実施例によると、第２のＲＡＴのＡＰは、遊休モードでショートビーコンを伝送することもできる（Ｓ３１７）。ただ、ＡＰが遊休モードでショートビーコンを伝送しない実施例で、Ｓ３１７は省略可能である。ショートビーコンは、ＡＰの存在を知らせるためのＡＰの識別情報（ｅ．ｇ．，ＢＳＳＩＤ）及びＡＰの状態に対する情報を含むことができる。ショートビーコンは、ショートビーコンの伝送周期またはＤＴＸ期間に対する情報を含むことができる。これとは異なり、端末は、ＩＷＥからショートビーコンの伝送周期またはＤＴＸ期間に対する情報を受信することもできる。
【０１１８】
ショートビーコンを伝送するＡＰが、端末が伝送したアウェイク要請メッセージ（ｅ．ｇ．，ページング）を受信する方法は、（ｉ）〜（ｉｉｉ）を例示することができ、これに限定されることはない。
【０１１９】
（ｉ）．ＡＰは、ショートビーコンが伝送される時点から一部区間の間（ｅ．ｇ．，リスニング区間）、端末からのページングメッセージをモニタリングする。リスニング区間情報は、ＩＷＥから伝送したり、ショートビーコンで伝送することができる。
【０１２０】
（ｉｉ）．ショートビーコンがこのリスニング区間を計算できる情報を含む、端末は、ショートビーコンを通じてリスニング区間を計算する。例えば、ＡＰのＩＤ％Ｎを用いてリスニング区間（フレーム）を計算する。ここで、Ｎは、ＡＰまたはＩＷＥを通じて提供することができる。
【０１２１】
（ｉｉｉ）．端末がＩＷＥを通じてＡＰに対する情報、例えば、ＤＲＸ期間、ＤＴＸ期間、開始オフセット、及びリスニング区間を受信する。端末は、ＩＷＥから受信された情報に基づいて、ＡＰのショートビーコンを受信し、ＡＰにページングメッセージを伝送する。
【０１２２】
図６は、本発明の他の一実施例によって、端末が第２のＲＡＴの基地局の状態を切り替える方法を示した図である。以下、図５と重複する内容に対する説明は省略可能である。よって、図５の実施例に対する各説明を参照することができる。
【０１２３】
まず、第２のＲＡＴのＡＰは、ＩＷＥに遊休モードへの状態切り替えのためのトリガー条件が満足されたことを知らせるメッセージを伝送する（Ｓ４０５）。ＩＷＥは、第２のＲＡＴのＡＰに、遊休モードでのＡＰの動作を定義するメッセージを伝送する（Ｓ４１０）。
【０１２４】
端末は、周辺の各ＡＰを探索し、その結果をＩＷＥに伝送する（Ｓ４１５）。本発明の一実施例によって、端末は、周辺に位置した各ＡＰのうち活性化モードであるＡＰのみを探索することができ、遊休モードのＡＰは探索できないと仮定する。
【０１２５】
ＩＷＥは、端末が接続するＡＰを決定する（Ｓ４２０）。ＩＷＥは、端末から受信されたＡＰ探索結果のみに依存して端末が接続するＡＰを決定することもできるが、端末によって探索されていない遊休モードのＡＰに端末が接続するように決定することもできる。例えば、優先ＡＰの状態が遊休モードである場合、ＩＷＥは、端末が優先ＡＰを探索できないとしても、端末が優先ＡＰに接続することを決定することができる。
【０１２６】
ＩＷＥは、端末にＡＰ接続命令（ｅ．ｇ．，ＡＰ  ａｔｔａｃｈ  ｃｍｄ）を伝送する（Ｓ４２５）。ＡＰ接続命令は、端末が接続すべき第２のＲＡＴのＡＰに対する情報を含むことができる。第２のＲＡＴのＡＰに対する情報は、ＡＰの識別情報及びＡＰの状態に対する情報を含むことができる。端末が接続すべきＡＰの状態が遊休モードである場合、ＡＰに対する情報は、ＤＲＸ期間、リスニング区間、及び開始オフセットに対する情報をさらに含むことができる。以下では、端末が接続すべきＡＰの状態が遊休モードであると仮定する。
【０１２７】
端末は、遊休モード状態である第２のＲＡＴのＡＰにアウェイク要請メッセージを生成し、これを第２のＲＡＴのＡＰのリスニング区間に伝送する（Ｓ４３０）。遊休モード状態にあった第２のＲＡＴのＡＰは、状態を活性化モードに切り替え、状態が切り替えられたことをＩＷＥに報告する（Ｓ４３５）。また、ＡＰは、アウェイク要請メッセージに対する応答メッセージを端末に伝送する（Ｓ４４０）。
【０１２８】
ＡＰから応答メッセージが受信されると、端末は、活性化モードに状態が切り替えられた第２のＲＡＴのＡＰに接続を要請（ｅ．ｇ．，アソシエーション要請）し（Ｓ４４５）、ＡＰは、ＨＳＳ／ＡＡＡを通じて認証を行う（Ｓ４５０）。認証に成功すると、ＡＰとＰ―ＧＷとの間のデータトンネルが生成され、Ｐ―ＧＷはＡＰにＩＰ住所を割り当てる（Ｓ４５５）。ＡＰが端末にアソシエーション応答を伝送する（Ｓ４６０）ことによって、端末とＡＰとの間の接続手順が完了する。端末は、ＡＰに接続したことを知らせるメッセージをＩＷＥに伝送する（Ｓ４６５）。
【０１２９】
また他の実施例によると、第２のＲＡＴのＡＰは、遊休モードでショートビーコンを伝送することもでき（Ｓ４２７）、これに対する詳細な内容は、図５の実施例を参照する。
【０１３０】
図７は、本発明の一実施例に係る端末と基地局を示した図である。図７に示した基地局は、第１のＲＡＴのＩＷＥであるか、または第２のＲＡＴの基地局（ｅ．ｇ．，ＡＰ）であり得る。ＲＡＴ１００は、上述した第１のＲＡＴまたは第２のＲＡＴであり得る。図７において、一つの基地局１０５と一つの端末１１０（Ｄ２Ｄ端末を含む）を示したが、ＲＡＴ１００は、一つ以上の基地局及び／または一つ以上の端末を含むことができる。
【０１３１】
図７を参照すると、基地局１０５は、送信（Ｔｘ）データプロセッサ１１５、シンボル変調器１２０、送信機１２５、送受信アンテナ１３０、プロセッサ１８０、メモリ１８５、受信機１９０、シンボル復調器１９５、及び受信データプロセッサ１９７を含むことができる。そして、端末１１０は、送信（Ｔｘ）データプロセッサ１６５、シンボル変調器１７０、送信機１７５、送受信アンテナ１３５、プロセッサ１５５、メモリ１６０、受信機１４０、シンボル復調器１５５、及び受信データプロセッサ１５０を含むことができる。送受信アンテナ１３０、１３５がそれぞれ基地局１０５及び端末１１０で一つに図示されているが、基地局１０５及び端末１１０は、複数の送受信アンテナを備えている。よって、本発明に係る基地局１０５及び端末１１０は、ＭＩＭＯ（Ｍｕｌｔｉｐｌｅ  Ｉｎｐｕｔ  Ｍｕｌｔｉｐｌｅ  Ｏｕｔｐｕｔ）システムをサポートする。また、本発明に係る基地局１０５は、ＳＵ―ＭＩＭＯ（Ｓｉｎｇｌｅ  Ｕｓｅｒ―ＭＩＭＯ）及びＭＵ―ＭＩＭＯ（Ｍｕｌｔｉ  Ｕｓｅｒ―ＭＩＭＯ）方式を全てサポートすることができる。
【０１３２】
ダウンリンク上で、送信データプロセッサ１１５は、トラフィックデータを受信し、受信したトラフィックデータをフォーマットしてコーディングし、コーディングされたトラフィックデータをインターリービングして変調し（またはシンボルマッピングし）、各変調シンボル（「各データシンボル」）を提供する。シンボル変調器１２０は、これら各データシンボルと各パイロットシンボルを受信及び処理し、各シンボルのストリームを提供する。
【０１３３】
シンボル変調器１２０は、データ及びパイロットシンボルを多重化し、これを送信機１２５に伝送する。このとき、それぞれの送信シンボルは、データシンボル、パイロットシンボル、またはゼロの信号値であってもよい。それぞれのシンボル周期で、各パイロットシンボルが連続的に送信されることもある。各パイロットシンボルは、周波数分割多重化（ＦＤＭ）、直交周波数分割多重化（ＯＦＤＭ）、時分割多重化（ＴＤＭ）、またはコード分割多重化（ＣＤＭ）シンボルであり得る。
【０１３４】
送信機１２５は、各シンボルのストリームを受信し、これを一つ以上のアナログ信号に変換し、また、これらアナログ信号を追加的に調節し（例えば、増幅、フィルタリング、及び周波数アップコンバーティング（ｕｐｃｏｎｖｅｒｔｉｎｇ）し、無線チャンネルを介した送信に適したダウンリンク信号を発生させる。そうすると、送信アンテナ１３０は、発生したダウンリンク信号を端末に伝送する。
【０１３５】
端末１１０の構成において、受信アンテナ１３５は、基地局からのダウンリンク信号を受信し、受信された信号を受信機１４０に提供する。受信機１４０は、受信された信号を調整し（例えば、フィルタリング、増幅、及び周波数ダウンコンバーティング（ｄｏｗｎｃｏｎｖｅｒｔｉｎｇ））、調整された信号をデジタル化して各サンプルを獲得する。シンボル復調器１４５は、受信された各パイロットシンボルを復調し、チャンネル推定のためにこれをプロセッサ１５５に提供する。
【０１３６】
また、シンボル復調器１４５は、プロセッサ１５５からダウンリンクに対する周波数応答推定値を受信し、受信された各データシンボルに対してデータ復調を行い、（送信された各データシンボルの各推定値である）データシンボル推定値を獲得し、各データシンボル推定値を受信（Ｒｘ）データプロセッサ１５０に提供する。受信データプロセッサ１５０は、各データシンボル推定値を復調（すなわち、シンボルデマッピング（ｄｅｍａｐｐｉｎｇ））、デインターリービング（ｄｅｉｎｔｅｒｌｅａｖｉｎｇ）、及びデコーディングし、伝送されたトラフィックデータを復旧する。
【０１３７】
シンボル復調器１４５及び受信データプロセッサ１５０による処理は、それぞれ基地局１０５でのシンボル変調器１２０及び送信データプロセッサ１１５による処理に対して相補的である。
【０１３８】
端末１１０において、アップリンク上で、送信データプロセッサ１６５は、トラフィックデータを処理し、各データシンボルを提供する。シンボル変調器１７０は、各データシンボルを受信して多重化し、変調を行い、各シンボルのストリームを送信機１７５に提供することができる。送信機１７５は、各シンボルのストリームを受信及び処理し、アップリンク信号を発生させる。そして、送信アンテナ１３５は、発生したアップリンク信号を基地局１０５に伝送する。
【０１３９】
基地局１０５において、端末１１０からアップリンク信号が受信アンテナ１３０を介して受信され、受信機１９０は、受信したアップリンク信号を処理し、各サンプルを獲得する。続いて、シンボル復調器１９５は、これらサンプルを処理し、アップリンクに対して受信された各パイロットシンボル及びデータシンボル推定値を提供する。受信データプロセッサ１９７は、データシンボル推定値を処理し、端末１１０から伝送されたトラフィックデータを復旧する。
【０１４０】
端末１１０及び基地局１０５のそれぞれのプロセッサ１５５、１８０は、それぞれ端末１１０及び基地局１０５での動作を指示（例えば、制御、調整、管理など）する。それぞれのプロセッサ１５５、１８０は、各プログラムコード及びデータを格納するメモリユニット１６０、１８５と連結することができる。メモリ１６０、１８５は、プロセッサ１８０に連結され、オペレーティングシステム、アプリケーション、及び一般ファイル（ｇｅｎｅｒａｌ  ｆｉｌｅｓ）を格納する。
【０１４１】
プロセッサ１５５、１８０は、コントローラー（ｃｏｎｔｒｏｌｌｅｒ）、マイクロコントローラー（ｍｉｃｒｏｃｏｎｔｒｏｌｌｅｒ）、マイクロプロセッサ（ｍｉｃｒｏｐｒｏｃｅｓｓｏｒ）、マイクロコンピューター（ｍｉｃｒｏｃｏｍｐｕｔｅｒ）などと称することもできる。一方、プロセッサ１５５、１８０は、ハードウェア（ｈａｒｄｗａｒｅ）、ファームウェア（ｆｉｒｍｗａｒｅ）、ソフトウェア、またはこれらの結合によって具現することができる。ハードウェアを用いて本発明の実施例を具現する場合は、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ１５５、１８０に備えることができる。
【０１４２】
一方、ファームウェアやソフトウェアを用いて本発明の各実施例を具現する場合は、本発明の機能または各動作を行うモジュール、手順または関数などを含むようにファームウェアやソフトウェアを構成することができ、本発明を行えるように構成されたファームウェアまたはソフトウェアは、プロセッサ１５５、１８０内に備えたり、メモリ１６０、１８５に格納してプロセッサ１５５、１８０によって駆動することができる。
【０１４３】
端末と基地局の無線通信システム（ネットワーク）間の無線インターフェースプロトコルの各レイヤーは、通信システムでよく知られているＯＳＩ（ｏｐｅｎ  ｓｙｓｔｅｍ  ｉｎｔｅｒｃｏｎｎｅｃｔｉｏｎ）モデルの下位３個のレイヤーに基づいて第１のレイヤー（Ｌ１）、第２のレイヤー（Ｌ２）、及び第３のレイヤー（Ｌ３）に分類することができる。物理レイヤーは、前記第１のレイヤーに属し、物理チャンネルを介して情報伝送サービスを提供する。ＲＲＣ（Ｒａｄｉｏ  Ｒｅｓｏｕｒｃｅ  Ｃｏｎｔｒｏｌ）レイヤーは、前記第３のレイヤーに属し、ＵＥとネットワークとの間の各制御無線資源を提供する。端末と基地局は、無線通信ネットワークとＲＲＣレイヤーを介して各ＲＲＣメッセージを交換することができる。
【０１４４】
本明細書において、端末のプロセッサ１５５と基地局のプロセッサ１８０は、それぞれ端末１１０及び基地局１０５が信号を受信または送信する機能及び格納機能を除いては、信号及びデータを処理する動作を行うが、説明の便宜上、以下で特別にプロセッサ１５５、１８０を言及しない。特別にプロセッサ１５５、１８０の言及がないとしても、信号を受信または送信する機能及び格納機能でないデータ処理などの一連の動作を行うと言える。
【０１４５】
以上で説明した各実施例は、本発明の各構成要素と各特徴が所定形態で結合されたものである。各構成要素または特徴は、別途の明示的な言及がない限り、選択的なものとして考慮しなければならない。各構成要素または特徴は、他の構成要素や特徴と結合されない形態で実施することができる。また、一部の構成要素及び／または各特徴を結合して本発明の実施例を構成することも可能である。本発明の各実施例で説明する各動作の順序は変更可能である。いずれかの実施例の一部の構成や特徴は、他の実施例に含ませることができ、または他の実施例の対応する構成または特徴と交替することができる。特許請求の範囲で明示的な引用関係のない各請求項を結合して実施例を構成したり、出願後の補正によって新たな請求項として含ませ得ることは自明である。
【０１４６】
本発明は、本発明の精神及び必須特徴から逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【図１Ａ】
0006401272.tif 000002
【図１Ｂ】
0006401272.tif 000003
【図１Ｃ】
0006401272.tif 000004
【図１Ｄ】
0006401272.tif 000005
【図１Ｅ】
0006401272.tif 000006
【図２】
0006401272.tif 000007
【図３Ａ】
0006401272.tif 000008
【図３Ｂ】
0006401272.tif 000009
【図４】
0006401272.tif 000010
【図５】
0006401272.tif 000011
【図６】
0006401272.tif 000012
【図７】
0006401272.tif 000013